(57)【要約】【課題】シロアリが配線・配管材に到達することを規制できる配線・配管材の支持具を提供する。【解決手段】地中ＵＧに埋設された地中埋設箱内においてケーブルＫを支持する支持具２１，２２は、地中埋設箱の底壁１１に載置されるとともに重力方向に延びる筒部２３と、筒部２３と一体であり、ケーブルＫを底壁１１から離間した状態で支持する蓋部２４とを備える。筒部２３は、防蟻成分を含有する材料で形成されている。【選択図】図２
2019216572.tif 000002
【特許請求の範囲】
【請求項１】
地中に埋設された地中埋設箱内において配線・配管材を支持する配線・配管材の支持具であって、
前記地中埋設箱の底壁に載置されるとともに重力方向に延びる柱部と、前記柱部と一体であり、前記配線・配管材を前記底壁から離間した状態で支持する支持部とを備え、
前記柱部は、防蟻成分を含有する材料で形成されていることを特徴とする配線・配管材の支持具。
【請求項２】
前記柱部には、他の前記支持具を支持することで、複数の前記支持具を前記重力方向に積み重ね可能とする積み重ね手段が設けられている請求項１に記載の配線・配管材の支持具。
【請求項３】
前記柱部には、前記支持部に支持された前記配線・配管材を前記支持具に固定するための固定線が挿通可能な挿通部が設けられている請求項１又は請求項２に記載の配線・配管材の支持具。
【請求項４】
前記柱部の外周面から延出する鍔部を有し、
前記鍔部は、前記柱部の周方向全体に設けられるとともに、前記重力方向の上側に凹となる凹形状である請求項１〜請求項３の何れか一項に記載の配線・配管材の支持具。
【請求項５】
地中に埋設された地中埋設箱内において配線・配管材を支持する配線・配管材の支持具であって、
前記地中埋設箱の底壁に載置されるとともに重力方向に延びる柱部と、前記柱部と一体であり、前記配線・配管材を前記底壁から離間した状態で支持する支持部と、前記柱部の外周面から延出する鍔部とを備え、
前記鍔部は、防蟻成分を含有する材料で形成されていることを特徴とする配線・配管材の支持具。
【発明の詳細な説明】
【技術分野】
【０００１】
本発明は、地中に埋設された地中埋設箱内において配線・配管材を支持する配線・配管材の支持具に関する。
【背景技術】
【０００２】
従来から、地中に埋設されたマンホールやハンドホール等の地中埋設箱内において、配線や配管材を支持する支持具が知られている。例えば、特許文献１に開示の地中埋設箱内における配線・配管材の支持構造では、地中埋設箱の底壁から支持棒体が立設するとともに、支持棒体の上端部から側方に延設された支持具によって配線・配管材が支持されている。
【先行技術文献】
【特許文献】
【０００３】
【特許文献１】特開２００４−３５０４３１号公報
【発明の概要】
【発明が解決しようとする課題】
【０００４】
ところで、地中埋設箱内にはシロアリが侵入することがある。地中埋設箱内に侵入したシロアリは、支持棒体をよじ登ることで、支持具に支持された配線・配管材まで到達する。シロアリは、配線・配管材を囓って損傷させたり、配線・配管材を伝って、配線・配管材が繋がる建屋内に侵入したりする。
【０００５】
本発明は、上記課題を解決するためになされたものであり、その目的は、シロアリが配線・配管材に到達することを規制できる配線・配管材の支持具を提供することにある。
【課題を解決するための手段】
【０００６】
上記問題点を解決するための配線・配管材の支持具は、地中に埋設された地中埋設箱内において配線・配管材を支持する配線・配管材の支持具であって、前記地中埋設箱の底壁に載置されるとともに重力方向に延びる柱部と、前記柱部と一体であり、前記配線・配管材を前記底壁から離間した状態で支持する支持部とを備え、前記柱部は、防蟻成分を含有する材料で形成されていることを要旨とする。
【０００７】
また、上記配線・配管材の支持具について、前記柱部には、他の前記支持具を支持することで、複数の前記支持具を前記重力方向に積み重ね可能とする積み重ね手段が設けられていてもよい。
【０００８】
また、上記配線・配管材の支持具について、前記柱部には、前記支持部に支持された前記配線・配管材を前記支持具に固定するための固定線が挿通可能な挿通部が設けられていてもよい。
【０００９】
また、上記配線・配管材の支持具について、前記柱部の外周面から延出する鍔部を有し、前記鍔部は、前記柱部の周方向全体に設けられるとともに、前記重力方向の上側に凹となる凹形状でもよい。
【００１０】
上記問題点を解決するための配線・配管材の支持具は、地中に埋設された地中埋設箱内において配線・配管材を支持する配線・配管材の支持具であって、前記地中埋設箱の底壁に載置されるとともに重力方向に延びる柱部と、前記柱部と一体であり、前記配線・配管材を前記底壁から離間した状態で支持する支持部と、前記柱部の外周面から延出する鍔部とを備え、前記鍔部は、防蟻成分を含有する材料で形成されていることを要旨とする。
【発明の効果】
【００１１】
本発明によれば、シロアリが配線・配管材に到達することを規制できる。
【図面の簡単な説明】
【００１２】
【図１】地中における地中埋設箱及び支持具を示す断面図。
【図２】支持具の断面図。
【発明を実施するための形態】
【００１３】
以下、配線・配管材の支持具を具体化した一実施形態を図１及び図２にしたがって説明する。
図１に示すように、地中ＵＧには、マンホールやハンドホール等の地中埋設箱１０が埋設されている。地中埋設箱１０は、矩形状の底壁１１と、矩形状の天壁１２と、底壁１１と天壁１２とを接続する４つの側壁１３とを備える。地中埋設箱１０は、底壁１１が重力方向の下側、天壁１２が重力方向の上側となるように地中に埋設されている。天壁１２には、貫通孔１２ａが形成されているとともに、貫通孔１２ａを囲む位置には、筒状の接続部１４が設けられている。接続部１４の内周面によって形成される連通孔１４ａは、天壁１２の貫通孔１２ａと連通している。接続部１４における天壁１２とは反対側の端部は、地面Ｇに繋がっている。地中埋設箱１０は、接続部１４の連通孔１４ａを閉塞する蓋体１５を有する。接続部１４の連通孔１４ａが蓋体１５によって閉塞されていないとき、地中埋設箱１０内と地上とは、天壁１２の貫通孔１２ａ及び接続部１４の連通孔１４ａを介して連通している。
【００１４】
４つの側壁１３のうち、対向する一対の側壁１３には、貫通孔１３ａがそれぞれ形成されているとともに、筒状の保護管１６がそれぞれ接続されている。本実施形態の保護管１６は、蛇腹状である。一方の側壁１３に形成された貫通孔１３ａには、一方の保護管１６の一端部が挿入され、他方の側壁１３に形成された貫通孔１３ａには、他方の保護管１６の一端部が挿入されている。各側壁１３の貫通孔１３ａと各保護管１６の外周面との隙間は、パテやモルタル等の充填材１７によって埋められている。各側壁１３と各保護管１６との接続部分には、ベルマウス１８が設けられている。ベルマウス１８は、ラッパ状であり、先細りした形状の一端部は、保護管１６に挿入され、末広がりした形状の他端部は、地中埋設箱１０内に位置している。各保護管１６の内側１６ａは、ベルマウス１８の内側１８ａを介して、地中埋設箱１０の内部空間と連通している。よって、地中ＵＧには、一方の保護管１６の内側１６ａと、一方のベルマウス１８の内側１８ａと、地中埋設箱１０の内部空間と、他方のベルマウス１８の内側１８ａと、他方の保護管１６の内側１６ａとが連通して形成される挿通路Ｒが形成されている。挿通路Ｒには、配線としてのケーブルＫが１本挿通されている。ケーブルＫは、例えば、電力ケーブルや通信ケーブル（光ファイバーケーブルを含む）である。挿通路Ｒ内において、ケーブルＫは、直線状に配線されている。また、地中埋設箱１０内において、ケーブルＫは、底壁１１に載置された２つの支持具２１，２２によって支持されている。
【００１５】
図１及び図２に示すように、本実施形態の支持具２１，２２は、重力方向に積み重ねられている。２つの支持具２１，２２のうち、重力方向の下側に位置する支持具を第１支持具２１とし、重力方向の上側に位置する支持具を第２支持具２２とする。第１支持具２１と第２支持具２２とは、同じ構成であるため、同じ符号を付して説明する。
【００１６】
第１支持具２１及び第２支持具２２はそれぞれ、柱部としての円筒状の筒部２３と、筒部２３の軸方向の一方の開口を閉塞する蓋部２４とを有する有蓋筒状である。筒部２３の軸方向は、重力方向と一致している。筒部２３の軸方向の端部のうち、重力方向上側に位置する端部を一端部とし、重力方向下側に位置する端部を他端部とする。筒部２３は、大径部２３ａと、大径部２３ａよりも外径及び内径の小さい小径部２３ｂと、大径部２３ａと小径部２３ｂとを繋ぐ段差部２３ｃとを有する。大径部２３ａは、小径部２３ｂよりも重力方向下側に位置する。第１支持具２１及び第２支持具２２はそれぞれ、筒部２３の軸方向と直交する方向において小径部２３ｂを貫通する２つの挿通部２３ｄを有する。２つの挿通部２３ｄは、筒部２３の軸方向と直交する方向に互いに対向する位置に形成されている。蓋部２４は、筒部２３の軸方向の一端部に設けられている。図２に示すように、蓋部２４は、重力方向下側に向けて凹となる湾曲板状である。蓋部２４は、筒部２３に一体形成されている。
【００１７】
第１支持具２１及び第２支持具２２はそれぞれ、筒部２３の大径部２３ａの外周面から延出する鍔部２５を備える。本実施形態の鍔部２５は、大径部２３ａの軸方向途中の外周面から筒部２３の径方向外側かつ重力方向下側に向けて延出している。また、鍔部２５は、筒部２３の周方向全体に形成されている。筒部２３の軸方向と直交する方向において、鍔部２５と筒部２３の大径部２３ａとの距離は、重力方向下側から重力方向上側に向かうほど短くなる。つまり、鍔部２５は、重力方向の上側に向けて凹となる凹形状である。本実施形態の鍔部２５は、重力方向の上側に向けて凹となるように湾曲した椀状である。鍔部２５は、筒部２３からの延出方向の先端に縁部２５ａを有する。
【００１８】
第１支持具２１及び第２支持具２２はそれぞれ、防蟻成分としてのクロチアニジンが混合された合成樹脂材料によって形成されている。本実施形態では、クロチアニジンは、マイクロカプセルに封入された状態で合成樹脂材料に混合されている。クロチアニジンは、シロアリ等の虫の神経を選択的に麻痺させる効力を有する。クロチアニジンは、シロアリが第１支持具２１及び第２支持具２２上を移動したり、第１支持具２１及び第２支持具２２を囓ったりすることによりマイクロカプセルから出てきて、シロアリの体に付着したり、シロアリの体内に入ったりする。
【００１９】
地中埋設箱１０内において２つの支持具が底壁１１に載置された状態では、第１支持具２１の筒部２３の軸方向の他端部と鍔部２５の縁部２５ａは、底壁１１と接触している。また、第１支持具２１の筒部２３の小径部２３ｂは、第２支持具２２の筒部２３の大径部２３ａ内に挿入されている。第１支持具２１と第２支持具２２とは、第２支持具２２の筒部２３の段差部２３ｃの内周縁が第１支持具２１の軸方向の一端部に支持されることで積み重ねられている。つまり、大径部２３ａ、小径部２３ｂ、及び段差部２３ｃによって構成される筒部２３の段形状は、支持具２１，２２を重力方向に積み重ね可能にする積み重ね手段２３１である。そして、ケーブルＫは、第２支持具２２の蓋部２４によって、地中埋設箱１０の底壁１１から離間した状態で支持されている。つまり、蓋部２４は、ケーブルＫを支持する支持部である。また、第２支持具２２の２つの挿通部２３ｄには、固定線３１が挿通されているとともに、固定線３１は、ケーブルＫに巻回されている。固定線３１は、ケーブルＫが第２支持具２２の蓋部２４に支持された状態で、ケーブルＫを第２支持具２２に固定している。
【００２０】
次に、支持具を用いたケーブルＫの支持方法について説明する。
まず、挿通路ＲにケーブルＫを挿通する。次に、地中埋設箱１０の底壁１１からケーブルＫまでの距離、すなわち重力方向においてケーブルＫを支持する位置に応じて、使用する支持具の個数（本実施形態では２つ）を決定する。次に、ケーブルＫが第２支持具２２の蓋部２４に支持されるように、第１支持具２１及び第２支持具２２を重力方向に積み重ねて底壁１１に載置する。そして、ケーブルＫを固定線３１によって第２支持具２２に固定する。
【００２１】
本実施形態の作用について説明する。
図１に示すように、シロアリＡは、接続部１４と蓋体１５との隙間等から地中埋設箱１０内に侵入する。地中埋設箱１０内に侵入したシロアリＡは、底壁１１から第１支持具２１の鍔部２５の外面をよじ登ることで筒部２３の大径部２３ａの外周面まで移動すると、筒部２３の大径部２３ａの外周面を伝って重力方向上側に向けて移動する。このとき、シロアリＡは、支持具２１，２２に接触したり支持具２１，２２を囓ったりする。支持具２１，２２の材料はクロチアニジンを含有している。このため、支持具２１，２２に接触したり支持具２１，２２を囓ったりしたシロアリＡの多くは、クロチアニジンの効用により死ぬ。
【００２２】
なお、第２支持具２２には、筒部２３の外周面から延出する鍔部２５が設けられている。これにより、鍔部２５が設けられていない場合と比較して、地中埋設箱１０の底壁１１からケーブルＫまでの道のりが長くなるため、シロアリＡが底壁１１からケーブルＫまで移動するために要する時間も長くなる。よって、シロアリＡの個体差により、クロチアニジンの効用が効き始めるのに時間がかかったとしても、シロアリＡは、ケーブルＫに到達する前にクロチアニジンの効用により死ぬ。
【００２３】
本実施形態の効果について説明する。
（１）地中埋設箱１０内において、第２支持具２２の蓋部２４は、ケーブルＫを地中埋設箱１０の底壁１１から離間した状態で支持している。また、第１支持具２１及び第２支持具２２の材料は、クロチアニジンを含有している。このため、地中埋設箱１０内に侵入したシロアリＡは、支持具２１，２２に接触したり支持具２１，２２を囓ったりすると、クロチアニジンの効力により死ぬ。よって、シロアリＡがケーブルＫに到達することを規制できる。
【００２４】
（２）支持具２１，２２の筒部２３には、支持具２１，２２を重力方向に積み重ね可能とする積み重ね手段２３１としての段形状が形成されている。このため、積み重ねる支持具２１，２２の個数を変更するだけで、地中埋設箱１０の底壁１１からケーブルＫまでの距離が変更される。よって、筒部２３の軸方向の長さを変更することなく、重力方向においてケーブルＫを支持する位置を調整できる。
【００２５】
（３）支持具２１，２２には、固定線３１を挿通するための挿通部２３ｄが形成されている。このため、第２支持具２２の挿通部２３ｄに挿通した固定線３１によって、ケーブルＫを第２支持具２２の蓋部２４に支持された状態で第２支持具２２に固定できる。その結果、例えば、車両の通行等により、地中埋設箱１０が振動したとしても、ケーブルＫが第２支持具２２の蓋部２４から落下することを抑制できる。
【００２６】
（４）第２支持具２２には、筒部２３の外周面から延出する鍔部２５が設けられている。これにより、鍔部２５が設けられていない場合と比較して、地中埋設箱１０の底壁１１からケーブルＫまでの道のりが長くなるため、シロアリＡが底壁１１からケーブルＫまで移動するために要する時間も長くなる。よって、シロアリＡの個体差により、クロチアニジンの効用が効き始めるのに時間がかかったとしても、シロアリＡは、ケーブルＫに到達する前にクロチアニジンの効用により死ぬ。特に、本実施形態の鍔部２５は、筒部２３の周方向全体に設けられるとともに重力方向上側に凹となる椀状であるため、平板状である場合と比較して、シロアリＡの移動時間を稼ぐことができる。よって、シロアリＡがケーブルＫに到達することをより規制できる。
【００２７】
（５）第１支持具２１には、筒部２３の外周面から延出する鍔部２５が設けられている。鍔部２５の縁部２５ａは、地中埋設箱１０の底壁１１に接触している。このため、第１支持具２１と地中埋設箱１０の底壁１１との接触面積が増大する。よって、例えば、車両の通行等により、地中埋設箱１０が振動したとしても、支持具２１，２２が転倒することを抑制できる。
【００２８】
（６）挿通路ＲにケーブルＫを挿通した後で、ケーブルＫが第２支持具２２の蓋部２４に支持されるように、第１支持具２１及び第２支持具２２を重力方向に積み重ねて底壁１１に載置する。このため、地中埋設箱１０内におけるケーブルＫの位置に応じて、支持具の配置態様を変更できる。よって、例えば、底壁１１に予め支持部を形成しておき、その支持部にケーブルＫが支持されるように挿通路ＲにケーブルＫを挿通する場合と比較して、施工性が良好である。また、既存の地中埋設箱１０内に第１支持具２１及び第２支持具２２を載置するだけでケーブルＫを支持できるため、ケーブルＫが支持部等により支持されていない状態で施工が完了した地中埋設箱１０に対しても、後から支持具を追加することでケーブルＫを支持できる。
【００２９】
本実施形態は、以下のように変更して実施することができる。本実施形態及び以下の変更例は、技術的に矛盾しない範囲で互いに組み合わせて実施することができる。
・マイクロカプセルに封入される防蟻成分は、クロチアニジンに限定されない。防蟻成分は、例えば、チアメトキサムなどのネオニコチノイド系、ピレスロイド系、フェニルピロール系、フェニルピラゾール系、有機リン系、カーバメート系、ホウ素加工物、フッ素化合物でもよい。
【００３０】
・防蟻とは、シロアリＡを殺すことだけでなく、シロアリＡを衰弱させることやシロアリＡに支持具２１，２２を忌避させることも含む。
・合成樹脂材料によって支持具２１，２２を形成した後、防蟻成分が封入されたマイクロカプセルを含む塗布液を支持具２１，２２の表面に塗布してもよい。塗布液は、例えば、防蟻成分が封入されたマイクロカプセルを合成樹脂等に混合したもの、詳細には、バインダー樹脂と揮発性溶剤と防蟻成分が封入されたマイクロカプセルとを含むものである。塗布液は、支持具２１，２２の表面への塗布後に揮発性溶剤が揮発することで硬化し、被膜化される。
【００３１】
・支持具２１，２２の材料は、合成樹脂材料に限定されず、金属など他の材料であってもよい。支持具２１，２２の材料として金属を採用する場合、金属製の支持具２１，２２を形成した後、防蟻成分が封入されたマイクロカプセルを含む塗布液を支持具２１，２２の表面に塗布する。
【００３２】
・支持具２１，２２を構成する筒部２３、蓋部２４、及び鍔部２５のうち、筒部２３が防蟻成分を含有しているのであれば、蓋部２４及び鍔部２５の少なくとも一方は防蟻成分を含有していなくてもよい。
【００３３】
・支持具２１，２２を構成する筒部２３、蓋部２４、及び鍔部２５のうち、鍔部２５が防蟻成分を含有しているのであれば、筒部２３及び蓋部２４の少なくとも一方は防蟻成分を含有していなくてもよい。例えば、支持具２１，２２のうち鍔部２５のみが防蟻成分を含有している場合であっても、地中埋設箱１０内に侵入したシロアリＡは、鍔部２５に接触したり鍔部２５を囓ったりすることでクロチアニジンの効力により死ぬ。よって、シロアリＡがケーブルＫに到達することを規制できる。
【００３４】
・地中埋設箱１０内において、ケーブルＫが延びる方向に配置される支持具の個数は、１つに限定されず、２つ以上でもよい。
・重力方向に積み重ねられる支持具の個数は、２つに限定されず、３つ以上でもよい。重力方向に積み重ねられる支持具の個数は、重力方向においてケーブルＫを支持する位置に応じて、適宜変更してよい。また、支持具は、積み重ねられずに使用されてもよい。
【００３５】
・支持具２１，２２が支持するのは、１本のケーブルＫに限定されない。例えば、支持具２１，２２は、複数本のケーブルＫや、１本又は複数本のケーブルＫが挿通された配管材としてのパイプを支持してもよい。
【００３６】
・柱部は、中空構造に限定されず、中実構造でもよい。
・筒部２３は、例えば、四角筒状でもよい。
・筒部２３の径は、筒部２３の軸方向全体で一定であってもよい。
【００３７】
・蓋部２４を省略してもよい。この場合、ケーブルＫは、筒部２３の軸方向の一端部に支持される。すなわち、筒部２３の軸方向の一端部が支持部となる。
・支持部の構成は、ケーブルＫを地中埋設箱１０の底壁１１から離間した状態で支持できるのであれば適宜変更してよい。例えば、支持部は、筒部２３の軸方向の一端部の外周面から側方に延設された構成でもよい。
【００３８】
・蓋部２４は、筒部２３の軸方向と直交する平板状であってもよい。
・鍔部２５を省略してもよい。
・鍔部２５は、筒部２３の外周面から径方向外側に向けて延びる平板状であってもよい。
【００３９】
・鍔部２５は、筒部２３の周方向全周に設けられていなくてもよい。鍔部２５は、例えば、筒部２３の周方向において間隔を空けて複数設けられていてもよい。
・第１支持具２１の鍔部２５の縁部２５ａは、地中埋設箱１０の底壁１１に接触せず、底壁１１から離間していてもよい。この場合、第１支持具２１の鍔部２５は、第２支持具２２の鍔部２５と同様、重力方向上側に向けたシロアリＡの移動を妨げる。
【００４０】
・ケーブルＫは、固定線３１によって第２支持具２２に固定されていなくてもよい。この場合、筒部２３の挿通部２３ｄは省略される。
・積み重ね手段２３１は、筒部２３に形成された段形状に限定されない。積み重ね手段２３１は、例えば、支持具２１，２２（具体的には筒部２３）の軸方向の一端部の外周面に形成された雄ねじ溝と、軸方向の他端部の内周面に形成された雌ねじ溝であってもよい。この場合、第１支持具２１の雄ねじが第２支持具２２の雌ねじに螺合されることによって、第１支持具２１及び第２支持具２２は積み重ねられる。
【００４１】
・地中埋設箱１０は、防蟻成分を含有する材料で形成されていてもよい。
・保護管１６は、防蟻成分を含有する材料で形成されていてもよい。
・保護管１６は、蛇腹状でなくてもよい。
【００４２】
・ベルマウス１８を省略してもよい。
・ケーブルＫは、挿通路Ｒ内において直線状に配線されていなくてもよい。例えば、４つの側壁１３のうち、第１の側壁１３に貫通孔１３ａを形成するとともに、第１の側壁１３と隣り合う第２の側壁１３に貫通孔１３ａを形成する。この場合、ケーブルＫは、湾曲した状態で配線される。
【００４３】
・挿通路Ｒの本数は、１本に限定されない。例えば、対向する一対の側壁１３に貫通孔１３ａを２つずつ形成してもよい。この場合、一方の側壁１３に形成された一方の貫通孔１３ａと、他方の側壁１３に形成された一方の貫通孔１３ａとによって１本目の挿通路Ｒが形成され、一方の側壁１３の形成された他方の貫通孔１３ａと、他方の側壁１３に形成された他方の貫通孔１３ａとによって２本目の挿通路Ｒが形成される。つまり、２本の挿通路Ｒが設けられる。なお、複数本の挿通路Ｒを設ける場合、挿通路Ｒ内において直線状に配線されるケーブルＫと、湾曲した状態で配線されるケーブルＫとが混在していてもよい。
【符号の説明】
【００４４】
１０…地中埋設箱、１１…底壁、２１…支持具としての第１支持具、２２…支持具としての第２支持具、２３…柱部としての筒部、２３ｄ…挿通部、２４…支持部としての蓋部、２５…鍔部、３１…固定線、２３１…積み重ね手段、Ｋ…配線としてのケーブル。
【図１】
2019216572.tif 000003
【図２】
2019216572.tif 000004